(57)【要約】【課題】給油作業やフィルタの状態確認の作業効率が良好となる給油口アダプタを提供する。【解決手段】作業機における燃料タンク４の給油口４ａに取り付けられる給油口アダプタＫであって、給油具２０を挿入可能な挿入部３ａを有すると共に給油口４ａに取り付けられるハウジング３と、挿入部３ａを開閉可能であると共に閉じ側に付勢されるように構成された開閉弁１３と、ハウジング３の内側において、開閉弁１３よりも給油具挿入方向下手側の位置に設けられたフィルタ１５と、を備えている。【選択図】図２
2020100299.tif 000002
【特許請求の範囲】
【請求項１】
作業機における燃料タンクの給油口に取り付けられる給油口アダプタであって、
給油具を挿入可能な挿入部を有すると共に前記給油口に取り付けられるハウジングと、
前記挿入部を開閉可能であると共に閉じ側に付勢されるように構成された開閉弁と、
前記ハウジングの内側において、前記開閉弁よりも給油具挿入方向下手側の位置に設けられたフィルタと、を備えている給油口アダプタ。
【請求項２】
前記開閉弁は、前記給油具で押されることによって開くように構成されている請求項１に記載の給油口アダプタ。
【請求項３】
前記フィルタは、前記ハウジングに着脱可能に構成されている請求項１または２に記載の給油口アダプタ。
【請求項４】
前記ハウジングは、前記開閉弁が取り付けられた第１筐体と、前記フィルタが取り付けられた第２筐体と、を有しており、
前記第２筐体は、前記給油口に取り付けられるように構成されており、
前記第１筐体は、前記第２筐体に着脱可能に構成されている請求項１から３の何れか一項に記載の給油口アダプタ。
【請求項５】
前記開閉弁と、前記フィルタと、の間の位置に、前記挿入部を開閉可能であると共に閉じ側に付勢された内側開閉弁が設けられており、
前記内側開閉弁は、前記給油具で押されることによって開くように構成されている請求項１から４の何れか一項に記載の給油口アダプタ。
【発明の詳細な説明】
【技術分野】
【０００１】
本発明は、作業機における燃料タンクの給油口に取り付けられる給油口アダプタに関する。
【背景技術】
【０００２】
作業機における燃料タンクの給油口周辺の構成として、例えば、特許文献１に記載のものが既に知られている。この作業機（特許文献１では「乗用田植機」）においては、給油口にキャップが取り付けられている。
【０００３】
また、この給油口の内側面には、内側へ張り出す受け座が形成されている。そして、フィルタ（特許文献１では「燃料用フィルタ」）における鍔状の部分が、この受け座に載置支持されている。
【先行技術文献】
【特許文献】
【０００４】
【特許文献１】特許第５７３９２４５号公報
【発明の概要】
【発明が解決しようとする課題】
【０００５】
特許文献１に記載の構成では、給油作業の際に給油口からキャップを取り外す必要があるが、取り外したキャップが汚れたり、紛失することがあった。また、フィルタの状態を確認する際には、キャップを取り外し、給油口からフィルタを取り出す必要がある。そのため、フィルタの状態の確認に比較的多くの手間がかかる。
【０００６】
しかも、フィルタを手で取り出す場合には、手に燃料が付着しがちである。また、手ではなく、取り出し用の器具によってフィルタを取り出す場合には、器具の使用によって、作業手順が煩雑になりがちである。
【０００７】
以上のことから、特許文献１に記載の構成では、給油作業やフィルタの状態確認の作業効率が悪くなりがちである。
【０００８】
本発明の目的は、給油作業やフィルタの状態確認の作業効率が良好となる給油口アダプタを提供することである。
【課題を解決するための手段】
【０００９】
本発明の特徴は、作業機における燃料タンクの給油口に取り付けられる給油口アダプタであって、給油具を挿入可能な挿入部を有すると共に前記給油口に取り付けられるハウジングと、前記挿入部を開閉可能であると共に閉じ側に付勢されるように構成された開閉弁と、前記ハウジングの内側において、前記開閉弁よりも給油具挿入方向下手側の位置に設けられたフィルタと、を備えていることにある。
【００１０】
本発明であれば、開閉弁の付勢力に抗して開閉弁を開くだけで給油作業が行える。また、ハウジングを給油口から取り外すだけで、容易に、フィルタの状態を確認することができる。これにより、給油作業やフィルタの状態確認の作業効率が良好となる。
【００１１】
さらに、本発明において、前記開閉弁は、前記給油具で押されることによって開くように構成されていると好適である。
【００１２】
この構成によれば、開閉弁を手で開くことなく、給油具を挿入部に挿入することが可能となる。即ち、開閉弁を手で開く動作が不要となるため、給油作業が容易となる。
【００１３】
さらに、本発明において、前記フィルタは、前記ハウジングに着脱可能に構成されていると好適である。
【００１４】
この構成によれば、作業者が、ハウジングを給油口から取り外し、フィルタの状態を確認した結果、フィルタのメンテナンスや交換が必要であると判断した場合に、フィルタをハウジングから取り外すことができる。これにより、フィルタの状態確認の後、フィルタのメンテナンスや交換を容易に行うことが可能となる。
【００１５】
さらに、本発明において、前記ハウジングは、前記開閉弁が取り付けられた第１筐体と、前記フィルタが取り付けられた第２筐体と、を有しており、前記第２筐体は、前記給油口に取り付けられるように構成されており、前記第１筐体は、前記第２筐体に着脱可能に構成されていると好適である。
【００１６】
この構成によれば、第２筐体が給油口に取り付けられた状態で、第１筐体を第２筐体から取り外すことにより、フィルタの目視が容易となる。従って、第２筐体が給油口に取り付けられたままで、フィルタの状態を容易に確認することが可能となる。
【００１７】
さらに、本発明において、前記開閉弁と、前記フィルタと、の間の位置に、前記挿入部を開閉可能であると共に閉じ側に付勢された内側開閉弁が設けられており、前記内側開閉弁は、前記給油具で押されることによって開くように構成されていると好適である。
【００１８】
この構成によれば、挿入部は、開閉弁と内側開閉弁とにより、二重弁構造となる。これにより、給油作業以外のときに、雨や埃等が挿入部に入り込む事態を確実に防ぎやすい。
【００１９】
また、この構成によれば、内側開閉弁を手で開くことなく、給油具を挿入部に挿入することが可能となる。即ち、内側開閉弁を手で開く動作が不要となるため、給油作業が容易となる。
【図面の簡単な説明】
【００２０】
【図１】歩行型作業機の左側面図である。
【図２】給油口アダプタの構成を示す縦断左側面図である。
【図３】第１別実施形態における給油口アダプタの構成を示す縦断左側面図である。
【発明を実施するための形態】
【００２１】
本発明を実施するための形態について、図面に基づき説明する。尚、以下の説明においては、特に断りがない限り、図１から図３に示す矢印Ｆの方向を「前」、矢印Ｂの方向を「後」とする。また、図１から図３に示す矢印Ｕの方向を「上」、矢印Ｄの方向を「下」とする。
【００２２】
〔歩行型作業機の全体構成〕
図１に示すように、本実施形態で例示する歩行型作業機Ａ（本発明に係る「作業機」に相当）は、機体フレーム１、エンジン２、燃料タンク４、ハンドル５、耕耘ロータ６、及び、抵抗棒７、等を備えて構成している。
【００２３】
機体フレーム１は、エンジン２を支持している。そして、ハンドル５は、機体フレーム１から延出されている。尚、ハンドル５は、後上がりに傾斜している。
【００２４】
機体フレーム１は、フレーム部材を兼ねる伝動ケース１２の上下中間部に第１支持部材９を前向き延出姿勢でボルト連結し、かつ、伝動ケース１２の上部に第２支持部材１０を伝動ケース１２の上部を覆う状態にボルト連結して構成している。
【００２５】
また、歩行型作業機Ａは、伝動ベルト２４、及び、伝動ケース１２の上部に備えた左右向きの入力軸１１を備えている。
【００２６】
図１に示すように、エンジン２からの動力は、エンジン２に備えた左右向きの出力軸２Ａから、伝動ベルト２４を介して、入力軸１１に伝達されている。
【００２７】
そして、入力軸１１からの動力は、チェーン式伝動機構（図示せず）等の伝動系を介して、伝動ケース１２の下部に左右向きに備えた出力軸８に伝達されている。
【００２８】
図１に示すように、耕耘ロータ６は、出力軸８に連結されている。そして、耕耘ロータ６は、出力軸８と一体回転する。耕耘ロータ６が回転することにより、歩行型作業機Ａは走行することができる。
【００２９】
〔給油口アダプタの構成〕
図２に示すように、燃料タンク４は、給油口４ａを有している。そして、給油口４ａには、給油口アダプタＫが取り付けられている。
【００３０】
給油口アダプタＫは、ハウジング３、開閉弁１３、内側開閉弁１４、フィルタ１５を備えている。
【００３１】
ハウジング３は、給油具２０を挿入可能な挿入部３ａを有している。また、ハウジング３の下端部は、給油口４ａに取り付けられている。尚、ハウジング３の下端部と、給油口４ａと、の間の連結は、ねじ込み式である。また、ハウジング３は、給油口４ａに対して着脱可能である。
【００３２】
また、本実施形態において、ハウジング３は、単一の筒状部材により構成されている。
【００３３】
開閉弁１３は、ハウジング３の内側に設けられている。また、開閉弁１３は、ハウジング３に取り付けられている。そして、開閉弁１３は、機体左右方向に沿う第１揺動軸芯１３ａ周りに揺動可能に構成されている。尚、図２に示すように、第１揺動軸芯１３ａは、ハウジング３の内側における上端部の前端部を通っている。
【００３４】
また、開閉弁１３は、付勢部材（図示せず）により、閉じ側に付勢されている。図２においては、閉じ姿勢の開閉弁１３が仮想線にて示されている。閉じ姿勢の開閉弁１３は、水平姿勢である。
【００３５】
そして、図２に示すように、開閉弁１３は、給油具２０で押されることにより、付勢部材の付勢力に抗して下側へ揺動する。即ち、開閉弁１３は、給油具２０で押されることによって開くように構成されている。また、開閉弁１３は、挿入部３ａを開閉可能である。
【００３６】
また、フィルタ１５は、ハウジング３の内側において、開閉弁１３よりも給油具挿入方向下手側の位置に設けられている。
【００３７】
より具体的には、ハウジング３の内壁における下部に、フィルタ取付部３ｂが形成されている。そして、フィルタ１５の上端部が、フィルタ取付部３ｂに取り付けられている。尚、フィルタ１５の上端部と、フィルタ取付部３ｂと、の間の連結は、ねじ込み式である。
【００３８】
また、フィルタ１５の上端部は、フィルタ取付部３ｂに対して着脱可能である。これにより、フィルタ１５は、ハウジング３に着脱可能に構成されている。
【００３９】
給油具２０から供給される燃料は、フィルタ１５によって、ろ過される。ろ過された燃料は、燃料タンク４の内部空間に流れ込む。
【００４０】
内側開閉弁１４は、ハウジング３の内側において、開閉弁１３と、フィルタ１５と、の間の位置に設けられている。また、内側開閉弁１４は、ハウジング３に取り付けられている。そして、内側開閉弁１４は、機体左右方向に沿う第２揺動軸芯１４ａ周りに揺動可能に構成されている。尚、図２に示すように、第２揺動軸芯１４ａは、ハウジング３の内側における上下方向中間部の前端部を通っている。
【００４１】
また、内側開閉弁１４は、付勢部材（図示せず）により、閉じ側に付勢されている。図２においては、閉じ姿勢の内側開閉弁１４が仮想線にて示されている。閉じ姿勢の内側開閉弁１４は、水平姿勢である。
【００４２】
そして、図２に示すように、内側開閉弁１４は、給油具２０で押されることにより、付勢部材の付勢力に抗して下側へ揺動する。即ち、内側開閉弁１４は、給油具２０で押されることによって開くように構成されている。また、内側開閉弁１４は、挿入部３ａを開閉可能である。
【００４３】
以上で説明した構成によれば、給油具２０を、開閉弁１３、内側開閉弁１４を開くように押し込むだけで、容易に、給油作業が行える。また、ハウジング３を給油口４ａから取り外すだけで、容易に、フィルタ１５の状態を確認することができる。これにより、給油作業やフィルタ１５の状態確認の作業効率が良好となる。
【００４４】
〔第１別実施形態〕
上記実施形態においては、ハウジング３は、単一の筒状部材により構成されている。
【００４５】
しかしながら、本発明はこれに限定されない。以下では、本発明に係る第１別実施形態について、上記実施形態とは異なる点を中心に説明する。以下で説明している部分以外の構成は、上記実施形態と同様である。また、上記実施形態と同様の構成については、同じ符号を付している。
【００４６】
図３は、本発明に係る第１別実施形態における給油口アダプタＫの構成を示している。この第１別実施形態における給油口アダプタＫは、ハウジング３０を備えている。そして、ハウジング３０は、第１筐体３１と、第２筐体３２と、を有している。
【００４７】
開閉弁１３及び内側開閉弁１４は、第１筐体３１に取り付けられている。
【００４８】
また、フィルタ取付部３ｂは、第２筐体３２に形成されている。即ち、フィルタ１５は、第２筐体３２に取り付けられている。
【００４９】
また、第２筐体３２は、給油口４ａに取り付けられるように構成されている。尚、第２筐体３２と、給油口４ａと、の間の連結は、ねじ込み式である。また、第２筐体３２は、給油口４ａに対して着脱可能である。
【００５０】
図３に示すように、第１筐体３１の下端部には、第１取付部３１ａが形成されている。また、第２筐体３２の上端部には、第２取付部３２ａが形成されている。
【００５１】
そして、第１取付部３１ａが、第２取付部３２ａに取り付けられている。尚、第１取付部３１ａと、第２取付部３２ａと、の間の連結は、ねじ込み式である。また、第１取付部３１ａは、第２取付部３２ａに対して着脱可能である。
【００５２】
以上の構成により、第１筐体３１は、第２筐体３２に着脱可能に構成されている。
【００５３】
尚、以上に記載した各実施形態は一例に過ぎないのであり、本発明はこれに限定されるものではなく、適宜変更が可能である。
【００５４】
〔その他の実施形態〕
（１）車輪を備えると共に、耕耘ロータ６に代えてロータリー耕耘装置を備え、エンジン２からの動力が、車輪に伝達されるように構成されていても良い。
【００５５】
（２）内側開閉弁１４は設けられていなくても良い。
【００５６】
（３）ハウジング３は、３つ以上の筐体により構成されていても良い。この場合、各筐体は、互いに着脱可能な状態で連結されていても良い。
【００５７】
（４）フィルタ１５は、ハウジング３から取り外すことができないように構成されていても良い。
【００５８】
（５）開閉弁１３は、給油具２０で押されることによっては開かないように構成されていても良い。例えば、開閉弁１３は、水平姿勢から、下側には揺動不能であり、上側に揺動可能であるように構成されていても良い。この場合、作業者は、手を使って、付勢部材の付勢力に抗して上側に開閉弁１３を開くことができる。
【００５９】
また、開閉弁１３は、上側及び下側には揺動不能であり、水平方向にスライド可能であるように構成されていても良い。より具体的には、開閉弁１３は、上下方向に沿う揺動軸芯周りに揺動することによりスライド可能であるように構成されていても良い。この場合、作業者は、手を使って、付勢部材の付勢力に抗して水平方向に開閉弁１３を開くことができる。
【００６０】
（６）ハウジング３の下端部と、給油口４ａと、の間の連結は、ねじ込み式以外の構造であっても良い。例えば、ハウジング３の下端部と、給油口４ａと、の間の連結は、嵌合構造であっても良いし、ボルト締結であっても良い。
【００６１】
（７）フィルタ１５の上端部と、フィルタ取付部３ｂと、の間の連結は、ねじ込み式以外の構造であっても良い。例えば、フィルタ１５の上端部と、フィルタ取付部３ｂと、の間の連結は、嵌合構造であっても良いし、ボルト締結であっても良い。
【００６２】
（８）第２筐体３２と、給油口４ａと、の間の連結は、ねじ込み式以外の構造であっても良い。例えば、第２筐体３２と、給油口４ａと、の間の連結は、嵌合構造であっても良いし、ボルト締結であっても良い。
【００６３】
（９）第１取付部３１ａと、第２取付部３２ａと、の間の連結は、ねじ込み式以外の構造であっても良い。例えば、第１取付部３１ａと、第２取付部３２ａと、の間の連結は、嵌合構造であっても良いし、ボルト締結であっても良い。
【産業上の利用可能性】
【００６４】
本発明は、歩行型作業機における燃料タンクの給油口に取り付けられる給油口アダプタだけでなく、コンバイン、田植機、トラクタ、建設作業機等の種々の作業機における燃料タンクの給油口に取り付けられる給油口アダプタに利用可能である。
【符号の説明】
【００６５】
３、３０    ハウジング
３ａ        挿入部
４          燃料タンク
４ａ        給油口
１３        開閉弁
１４        内側開閉弁
１５        フィルタ
２０        給油具
３１        第１筐体
３２        第２筐体
Ａ          歩行型作業機（作業機）
Ｋ          給油口アダプタ
【図１】
2020100299.tif 000003
【図２】
2020100299.tif 000004
【図３】
2020100299.tif 000005